【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
外表面を有するタンポンプレジットであって、前記外表面は、そこに複数のマイクロカプセルを有し、実質的な数の前記複数のマイクロカプセルは、その中に潤滑剤を有し、前記複数のマイクロカプセルは、前記外表面上に前記潤滑剤を広げる目的のために所望のように破裂し得るものであり、前記複数のマイクロカプセルがバインダー材料により前記外表面上に存在するタンポンプレジット。
【請求項２】
前記潤滑剤が、鉱油、植物油、シリコーン油、水、プロピレングリコール、ポリグリセリルメタクリレート、グリセリルラウレート、ポリソルベート、およびそれらのいずれかの混合物からなる群より選択される請求項１記載のタンポンプレジット。
【請求項３】
１以上の前記複数のマイクロカプセルがその中に香料を有する請求項１記載のタンポンプレジット。
【請求項４】
前記実質数の前記複数のマイクロカプセルの少なくとも１つもまたその中に香料を有する請求項１記載のタンポンプレジット。
【請求項５】
前記外表面が、中に香料を有する１以上の前記複数のマイクロカプセルを有し、前記複数のマイクロカプセルの前記１以上が、中に潤滑剤を有する前記実質数の前記複数のマイクロカプセルとともに点在する、請求項１記載のタンポンプロジット。
【請求項６】
前記バインダー材料が、メチルセルロース、ポリビニルアルコール、アクリル、デンプン、およびそれらのいずれかの組み合わせからなる群より選択される請求項１記載のタンポンプレジット。
【請求項７】
前記潤滑剤が約４０ｍｇの重量を有する請求項１記載のタンポンプレジット。
【請求項８】
前記複数のマイクロカプセルのそれぞれが、約５００μｍから約８００μｍの大きさの範囲にある請求項１記載のタンポンプレジット。
【請求項９】
外表面を有するタンポンアプリケーターであって、前記外表面は、複数のマイクロカプセルにより被覆され、実質数の前記複数のマイクロカプセルがその中に潤滑剤を有し、前記複数のマイクロカプセルが、前記外表面上に前記潤滑剤を広げることを目的として所望のように破裂し得るタンポンアプリケーター。
【請求項１０】
前記潤滑剤が、鉱油、植物油、シリコーン油、水、プロピレングリコール、ポリグリセリルメタクリレート、グリセリルラウレート、ポリソルベート、およびそれらのいずれかの混合物からなる群より選択される請求項９記載のタンポンアプリケーター。
【請求項１１】
前記複数のマイクロカプセルの少なくとも１つがその中に香料を有する請求項９記載のタンポンアプリケーター。
【請求項１２】
前記複数のマイクロカプセルの少なくとも１つがその中に香料を有し、香料を有する前記少なくとも１つのマイクロカプセルが、その中に潤滑剤を有する前記実質数の前記複数のマイクロカプセルとともに点在する、請求項９記載のタンポンアプリケーター。
【請求項１３】
前記複数のマイクロカプセルが、バインダー材料により前記外表面に接着する請求項９記載のタンポンアプリケーター。
【請求項１４】
前記バインダー材料が、メチルセルロース、ポリビニルアルコール、アクリル、デンプン、およびそれらのいずれかの混合物からなる群より選択される請求項１３記載のタンポンアプリケーター。
【請求項１５】
前記潤滑剤が約４０ｍｇの重量を有する請求項９記載のタンポンアプリケーター。
【請求項１６】
前記複数のマイクロカプセルが、約５００μｍから約８００μｍの大きさの範囲にある請求項９記載のタンポンアプリケーター。
【請求項１７】
複数のマイクロカプセルで被覆された内表面を有する本体を含むタンポンアプリケーターまたはタンポンプレジットのためのラッパーであって、前記複数のマイクロカプセルの実質数がその中に潤滑剤を有し、前記複数のマイクロカプセルが、タンポンプレジット、タンポンアプリケーター、またはそれらの組み合わせ上に前記潤滑剤を広げる目的のために所望のように破裂し得るものであり、前記複数のマイクロカプセルがバインダー材料により前記内表面上に存在するラッパー。
【請求項１８】
前記内表面が、ポリプロピレン、ポリエチレン、ポリエステル、セロハン、ポリ塩化ビニリデン、ワックスで被覆された紙、フィルムで被覆された紙、処理された紙、およびそれらのいずれかの組み合わせからなる群より選択される素材で作られる請求項１７記載のラッパー。
【請求項１９】
前記潤滑剤が、鉱油、植物油、シリコーン油、水、プロピレングリコール、ポリグリセリルメタクリレート、グリセリルラウレート、ポリソルベート、およびそれらのいずれかの混合物からなる群より選択される請求項１７記載のラッパー。
【請求項２０】
前記複数のマイクロカプセルの１以上がその中に香料を有する請求項１７記載のラッパー。
【請求項２１】
前記内表面は、中に香料を有する前記複数のマイクロカプセルの１以上により被覆され、香料を有する前記複数のマイクロカプセルの１以上は、中に潤滑剤を有する前記実質数の前記複数のマイクロカプセルとともに点在する請求項１７記載のラッパー。
【請求項２２】
前記バインダー材料が、メチルセルロース、ポリビニルアルコール、アクリル、デンプン、およびそれらのいずれかの組み合わせからなる群より選択される請求項１７記載のラッパー。
【請求項２３】
前記潤滑剤が約４０ｍｇの重量を有する請求項１７記載のラッパー。
【請求項２４】
前記複数のマイクロカプセルのそれぞれが、約５００μｍから約８００μｍの大きさの範囲にある請求項１７記載のラッパー。
【請求項２５】
タンポンを潤滑化する方法であって、
（ａ）複数のマイクロカプセルがバインダー材料により付着されている、前記タンポンを被覆するラッパーの内表面、
（ｂ）複数のマイクロカプセルがバインダー材料により付着されている、タンポンプレジットの外表面、
（ｃ）タンポンアプリケーターの外表面および
（ｄ）上記（ａ）〜（ｃ）のいずれかの組み合わせ
から選択される表面上に複数のマイクロカプセルを提供する工程、および
前記タンポンプレジット、前記タンポンアプリケーター、またはそれらの組み合わせ上に前記潤滑剤を広げる目的のために１以上の前記複数のマイクロカプセルを破裂させる工程であって、前記複数のマイクロカプセルが、その中に潤滑剤を含む実質数のマイクロカプセルを有する工程
を含む方法。
【請求項２６】
前記複数のマイクロカプセル上に及ぼされる圧力を変化させることにより、破裂するマイクロカプセルの数、したがって、所望される前記潤滑剤の量を制御する請求項２５記載の方法。
【請求項２７】
前記複数のマイクロカプセルの１以上がその中に香料を有する請求項２５記載の方法。
【請求項２８】
前記複数のマイクロカプセルの前記実質数の１以上がその中に香料を有する請求項２５記載の方法。
【請求項２９】
タンポンプレジットまたはタンポンアプリケーターであって、
（ａ）複数のマイクロカプセルがバインダー材料により付着されている、前記タンポンプレジットを被覆するラッパーの内表面、
（ｂ）複数のマイクロカプセルがバインダー材料によりに付着されている、タンポンアプリケーターの外表面、
（ｃ）前記タンポンプレジットの外表面および
（ｄ）上記（ａ）〜（ｃ）のいずれかの組み合わせ
から選択される表面上に複数のマイクロカプセルを提供する工程、および
前記タンポンプレジットまたは前記タンポンアプリケーター、またはそれらの組み合わせ上に前記潤滑剤を広げるために前記複数のマイクロカプセルの１以上を破裂させる工程であって、前記複数のマイクロカプセルがその中に潤滑剤を有する実質数のマイクロカプセルを有する工程
を含む方法により潤滑化されるタンポンプレジットまたはタンポンアプリケーター。
【請求項３０】
前記複数のマイクロカプセル上に及ぼされる圧力を変化させることにより、破裂するマイクロカプセルの数、したがって、所望される前記潤滑剤の量を制御する請求項２９記載の方法。
【請求項３１】
前記複数のマイクロカプセルの１以上がその中に香料を有する請求項２９記載の方法。
【請求項３２】
前記実質数の前記複数のマイクロカプセルの１以上がその中に芳香を有する請求項２９記載の方法。